(57)【要約】【課題】より楽に画像等の被視体を視ることが可能な被視体保持装置を提供する。【解決手段】被視体保持装置１００は、使用者に視られる被視体（携帯情報端末２０）を保持する被視体保持部１９と、被視体保持部１９から離間して配置されている接眼部と、を有する保持ユニット（例えば筐体１０）を備えている。保持ユニットは、当該保持ユニットを支持する支持具２００が取り付けられる装着部（例えば、開口１５１）を備えている。【選択図】図９
2018033051.tif 000002
【特許請求の範囲】
【請求項１】
使用者に視られる被視体を保持する被視体保持部と、前記被視体保持部から離間して配置されている接眼部と、を有する保持ユニットを備え、
前記保持ユニットは、当該保持ユニットを支持する支持具が取り付けられる装着部を備えている被視体保持装置。
【請求項２】
前記保持ユニットにおいて前記装着部と対応する部位が前記支持具により挟持されることによって、前記保持ユニットと前記被視体とが前記支持具によりまとめて保持される請求項１に記載の被視体保持装置。
【請求項３】
前記保持ユニットは筐体であり、
前記装着部は、前記筐体に形成された開口、スリット、前記開口の形成予定部、又は前記スリットの形成予定部である請求項２に記載の被視体保持装置。
【請求項４】
前記保持ユニットは筐体であり、
前記装着部は、前記支持具が螺合、嵌合又は係合により連結される連結部である請求項１に記載の被視体保持装置。
【請求項５】
前記保持ユニットは、シート体により構成された目周りケア材を保持するシート体保持部を備えている請求項１から４のいずれか一項に記載の被視体保持装置。
【請求項６】
前記被視体は、画像表示体である請求項１から５のいずれか一項に記載の被視体保持装置。
【発明の詳細な説明】
【技術分野】
【０００１】
本発明は、被視体保持装置に関する。
【背景技術】
【０００２】
特許文献１には、表示装置付きの携帯型電子装置を収容保持するメガネ型の装置が記載されている。
【先行技術文献】
【特許文献】
【０００３】
【特許文献１】米国特許出願公開第２０１５／０１９８８１１号明細書
【発明の概要】
【発明が解決しようとする課題】
【０００４】
特許文献１の装置によれば、電子装置に表示される画像をハンズフリーで視ることが可能であるが、装置の重量を耳や鼻で支えるため、耳や鼻への負荷が大きい。
【０００５】
本発明は、上記の課題に鑑みてなされたものであり、より楽に画像等の被視体を視ることが可能な被視体保持装置に関する。
【課題を解決するための手段】
【０００６】
本発明は、使用者に視られる被視体を保持する被視体保持部と、前記被視体保持部から離間して配置されている接眼部と、を有する保持ユニットを備え、
前記保持ユニットは、当該保持ユニットを支持する支持具が取り付けられる装着部を備えている被視体保持装置を提供する。
【発明の効果】
【０００７】
本発明によれば、より楽に画像等の被視体を視ることが可能となる。
【図面の簡単な説明】
【０００８】
【図１】図１（ａ）及び図１（ｂ）は第１の実施形態に係る被視体保持装置を示す斜視図である。
【図２】図２は第１の実施形態に係る被視体保持装置の斜視図である。
【図３】図１（ａ）のＡ−Ａ線に沿った断面図である。
【図４】図１（ａ）のＢ−Ｂ線に沿った断面図である。
【図５】図５（ａ）は被視体保持装置の筐体を構成する筐体構成シートの平面図であり、図５（ｂ）は筐体構成シートを含む原反シートの平面図である。
【図６】図６（ａ）は筐体内に収容されるレンズ保持部材の平面図であり、図６（ｂ）は図６（ａ）のＢ−Ｂ線に沿った断面図である。
【図７】図７（ａ）は筐体内に収容される暗色シートの平面図であり、図７（ｂ）は暗色シートを含む原反シートの平面図である。
【図８】第１の実施形態に係る被視体保持装置を支持具によって支持した状態を示す斜視図である。
【図９】図９（ａ）は第１の実施形態に係る被視体保持装置を支持具によって支持した状態を示す斜視図であり、図９（ｂ）は支持具の背面図である。
【図１０】被視体としての画像表示体が表示する画像の例を示す図である。
【図１１】第１の実施形態の変形例に係る被視体保持装置を支持具によって支持した状態を示す斜視図である。
【図１２】図１２（ａ）は第２の実施形態に係る被視体保持装置を示す側断面図であり、図１２（ｂ）は第２の実施形態に係る被視体保持装置を支持する支持具を示す斜視図である。
【図１３】図１３（ａ）は目周りケア材としての美容シートを示す平面図であり、図１３（ｂ）は美容シートを収容しているシートパッケージを示す側面図である。
【図１４】図１４（ａ）は第３の実施形態に係る被視体保持装置の正面図であり、図１４（ｂ）は被視体保持装置が美容シートを保持している状態を示す正面図である。
【発明を実施するための形態】
【０００９】
以下、本発明の実施形態について、図面を用いて説明する。なお、すべての図面において、同様の構成要素には同一の符号を付し、重複する説明は適宜に省略する。
【００１０】
〔第１の実施形態〕
先ず、図１（ａ）から図１０を参照して第１の実施形態を説明する。
本実施形態において、被視体保持装置１００の各構成要素の位置関係（上下関係及び前後関係等）の説明は、特に断りのない場合は、使用時において使用者を基準とした位置関係を説明したものである。そして、被視体保持装置１００の筐体１０において、使用時に使用者の顔面と相対する方の面（後述する接眼部１１）を正面（前面）とし、正面に対する反対側の面（後述する背面部１７）を背面（後面）とする。
ただし、被視体保持装置１００の各構成要素の位置関係について、各図に示される位置関係を説明する場合もある。
【００１１】
本実施形態に係る被視体保持装置１００は、使用者に視られる被視体（本実施形態の場合、表示画面２１に画像を表示する携帯情報端末２０）を保持する被視体保持部１９（図３、図４）と、被視体保持部１９から離間して配置されている接眼部１１と、を有する保持ユニット（例えば筐体１０）を備えている。保持ユニットは、当該保持ユニットを支持する支持具２００（図８、図９（ａ）、図９（ｂ））が取り付けられる装着部（例えば、開口１５１）を備えている（図８、図９（ａ））。
【００１２】
ここで、被視体とは、例えば、動画又は静止画を表示する表示装置であってもよいし、静止画を表示する紙やパネル等（つまり写真等）であってもよい。すなわち、被視体は、画像表示体である。
動画又は静止画としては、例えば、眼球運動を促進するものを用いることができる。眼球運動を促進する動画又は静止画としては、例えば、三次元映像又は三次元画像が挙げられる。
例えば、物体が移動する動画を表示させた場合、当該物体を使用者の眼が追いかけることにより、眼球の移動（上下、左右移動）や、水晶体の緊張及び弛緩が繰り返されるようにできるため、眼の筋力を鍛え、目周りの筋力低下による目元の印象低下を改善できることが期待できる。また、眼の焦点を合わせることによって所定の三次元像を視認可能となるような三次元映像又は三次元画像を表示させた場合にも、水晶体の緊張又は弛緩が行われることによって、同様に、眼の筋力を鍛えることができる。更には、単なる静止画であっても、使用者が自ずと画像の隅々まで見渡したり焦点を合わせたりすることによって、使用者の眼の筋力を鍛えることが可能である。
このような動画又は静止画としては、ＶＲ（Ｖｉｒｔｕａｌ  Ｒｅａｌｉｔｙ）を表現したものや、ＡＲ（Ａｕｇｍｅｎｔｅｄ  Ｒｅａｌｉｔｙ）を表現したものが挙げられる。このような動画又は静止画は、一例として、バーチャルメイクに利用することができる。
被視体は、可搬性のものであることが好ましい。図１（ａ）に示すように、本実施形態の場合、被視体は、画像を表示する表示画面２１を有する携帯情報端末２０である。
なお、本発明は、この例に限らず、被視体は、何らかのものを模した模型（人形や、動物の模型など）や装飾体などのように、画像表示体以外の物体であってもよい。
【００１３】
図１から図４のいずれかに示すように、本実施形態の場合、被視体保持装置１００は、保持ユニットとしての筐体１０を備えている。
筐体１０は、接眼部１１、天面部１４、一対の側面部１６、背面部１７及び底面部１８により構成された直方体状の部分と、接眼部１１の周囲を覆っている覆い部１５と、を備えて構成されている。
接眼部１１、天面部１４、側面部１６、側面部１６及び底面部１８は、それぞれ面状（本実施形態の場合、平面状）に形成されている。接眼部１１と背面部１７とは互いに対向しており、一対の側面部１６は互いに対向しており、天面部１４と底面部１８とは互いに対向している。
このように、保持体は、接眼部１１と、接眼部１１と対向して配置された背面部１７と、左右一対の側面部１６と、天面部１４と、底面部１８と、を有する直方体形状の筐体１０である。
接眼部１１は、使用時に使用者の顔と相対する部位である。接眼部１１には、使用者の左右の眼とそれぞれ対応する一対の円形又は楕円形などの形状の覗き窓１２が形成されている。なお、ここでは、接眼部１１が一対の覗き窓１２を有する例を説明するが、本発明は、この例に限らず、接眼部１１が横長の長円形又は矩形などの形状の一つの覗き窓１２を有していて、この一つの覗き窓１２を介して左右の眼で筐体１０の内部を覗き込むことができるようになっていてもよい。
【００１４】
更に、筐体１０には、使用時に使用者の鼻の少なくとも一部分が入り込む鼻よけ部１３が、接眼部１１から底面部１８に亘って形成されている（図１（ａ）、図４）。
覆い部１５は、天面部１４から前方（使用者からみて手前側）に向けて庇状に延出している上方覆い部１５ａと、左右の側面部１６から前方（使用者からみて手前側）に向けて延出している側方覆い部１５ｂと、を含んで構成されている。例えば、上方覆い部１５ａと側方覆い部１５ｂとは相互に連続的に形成されている。なお、覆い部１５は、上方覆い部１５ａ又は側方覆い部１５ｂを有していなくてもよいし、筐体１０は覆い部１５を有していなくてもよい。
筐体１０の背面側には、携帯情報端末２０を収容する被視体保持部１９が形成されている。被視体保持部１９は、携帯情報端末２０の厚みよりも前後幅が若干大きい空洞である。被視体保持部１９は、例えば、左右両端が外部に開放している。筐体１０の側方から被視体保持部１９内に携帯情報端末２０を差し入れることにより、筐体１０によって携帯情報端末２０を保持させることができるようになっている。
このように、保持ユニット（筐体１０）は、使用者の眼と対応する一対の覗き窓１２を有する面状の接眼部１１と、接眼部１１と対向配置され、被視体を保持する被視体保持部１９と、を備えている。
【００１５】
一例として、筐体１０は、図５（ａ）に示す筐体構成シート３０を折り曲げて組み立てることによって構成されている。筐体構成シート３０の材料は特に限定されないが、例えば、紙とすることができる。
【００１６】
筐体構成シート３０は、例えば、第１天面構成部３１、背面構成部３２、第１底面構成部３３、前面構成部３４、第２天面構成部３５、収容部構成部３６、第２底面構成部３７、一対の側面構成部３８、一対の差し込み片３９、一対の折り曲げ片４０、一対の折り曲げ片４１、及び、一対の折り曲げ片４２を備えて構成されている。
第１天面構成部３１は、第２天面構成部３５とともに天面部１４を構成する部分である。
背面構成部３２は、背面部１７を構成する部分である。
第１底面構成部３３は、第２底面構成部３７とともに底面部１８を構成する部分である。第１底面構成部３３には、鼻よけ部１３を構成する切欠形状部４４が形成されている。
前面構成部３４は、接眼部１１を構成する部分である。前面構成部３４には、覗き窓１２を構成する一対の開口４３と、鼻よけ部１３を構成する切欠形状部４５と、が形成されている。
なお、切欠形状部４４、４５は相互に連続しており、これら切欠形状部４４、４５の総体は、筐体構成シート３０に形成された開口となっている。
収容部構成部３６は、背面構成部３２に対して平行に、背面構成部３２の前方に配置される部分である（図３、図４）。収容部構成部３６と背面構成部３２との間隙が被視体保持部１９を構成する。収容部構成部３６には、矩形状などの形状の開口４７が形成されている。使用者が覗き窓１２を介して筐体１０の内部を覗くことによって、開口４７を介して携帯情報端末２０の表示画面２１を視認可能となるようになっている。使用者が閉空間である筐体１０の中を覗き込んで表示画面２１を視るようにすることによって、没入感を生じさせることができる。
一対の側面構成部３８は、それぞれ側面部１６を構成する部分である。
【００１７】
筐体構成シート３０において、上記の各部の境界線（図５（ａ）において点線で示されている部分）は、折り曲げ線となっている。筐体構成シート３０は、各折り曲げ線において９０度折り曲げられて（図５（ａ）において山折りされて）、例えば、第２天面構成部３５が第１天面構成部３１の内面に対して接着されるとともに、第２底面構成部３７が第１底面構成部３３の内面に対して接着されている。
また、収容部構成部３６と各折り曲げ片４２との境界線に沿って、スリット４６が形成されている。これらスリット４６に対して、それぞれ差し込み片３９が差し込まれている。
こうして、筐体１０が構成されている。
なお、筐体構成シート３０は、図５（ｂ）に示す原反シート５０から、ミシン目に沿って切除部５１、５２、５３、５４、５５を切除することによって得られる。
【００１８】
図３及び図４に示すように、筐体１０は、内部に空洞１０ａが形成されている。
空洞１０ａ内において、筐体１０の前面側の部分には、板状のレンズ保持部材８０が設けられている。
図６（ａ）及び図６（ｂ）に示すように、レンズ保持部材８０は、板状の本体部８１と、本体部８１に形成された一対の保持孔８２にそれぞれ嵌め込まれた一対のレンズ８４と、を有している。
ここで、レンズ８４は、凸レンズ又はフレネルレンズとすることができる。
本体部８１の材料は特に限定されないが、本体部８１は、例えば段ボールにより構成されている。図３に示すように、保持孔８２は、覗き窓１２と対応する位置に配置されている。
更に、図６（ａ）に示すように、本体部８１において、鼻よけ部１３と対応する部位には、切欠形状部８３が形成されている。
【００１９】
図３及び図４に示すように、空洞１０ａ内には、例えば、少なくとも一方の面が黒色等の暗色に形成された暗色シート６０が設けられている。
図７（ａ）に示すように、暗色シート６０は、例えば、底面覆い部６１、前面覆い部６２、一対の側面覆い部６３、及び天面覆い部６４を備えて構成されている。
暗色シート６０において、上記の各部の境界線（図７（ａ）において点線で示されている部分）は、折り曲げ線となっている。暗色シート６０は、各折り曲げ線において９０度折り曲げられて（図７（ａ）において谷折りされて）、空洞１０ａ内に配置されている。すなわち、図３及び図４に示すように、底面覆い部６１は底面部１８に沿って配置され、前面覆い部６２は接眼部１１及びレンズ保持部材８０に沿って配置され、側面覆い部６３は各側面部１６に沿って配置され、天面覆い部６４は天面部１４に沿って配置されている。なお、暗色シート６０は、暗色に形成された面が空洞１０ａの内方を向くように配置されている。
ここで、レンズ保持部材８０は、前面構成部３４（接眼部１１）と前面覆い部６２との間に挟持されている。
前面覆い部６２において、覗き窓１２と対応する位置には開口６７が、切欠形状部４５及び切欠形状部８３と対応する位置には切欠形状部４５が、それぞれ形成されている。
また、底面覆い部６１において、切欠形状部４４と対応する位置には、切欠形状部６５が形成されている。
このような暗色シート６０が空洞１０ａの内方を向くようにして空洞１０ａの周縁部に配置されていることにより、空洞１０ａ内を暗くすることができ、より一層、筐体１０内を覗き込む際の没入感を高めることができる。
暗色シート６０の材料は特に限定されないが、例えば、紙とすることができる。
なお、暗色シート６０は、図７（ｂ）に示す原反シート７０から、ミシン目に沿って切除部７１、７２、７３、７４を切除することによって得られる。
【００２０】
ここで、図５（ａ）に示すように、筐体構成シート３０の第１天面構成部３１及び第２天面構成部３５には、ミシン目等の破断線１５３ａ、１５４ａが形成されている。
また、図７（ａ）に示すように、暗色シート６０の天面覆い部６４には、ミシン目等の破断線１５７ａが形成されている。
筐体１０を破断線１５３ａ、１５４ａに沿って破断するとともに、暗色シート６０を破産線１５７ａに沿って破断し、図５（ａ）に示す折り曲げ線１５３ｂ、１５４ｂに沿って筐体１０を折り曲げるとともに、図７（ａ）に示す折り曲げ線１５７ｂに沿って暗色シート６０を折り曲げることによって、図１（ａ）、図１（ｂ）、図２及び図４等に示す開口１５１と折り曲げ片１５２とが形成される。
【００２１】
本実施形態の場合、保持ユニット（筐体１０）において装着部（開口１５１）と対応する部位が支持具２００により挟持されることによって、保持ユニットと被視体（携帯情報端末２０）とが支持具２００によりまとめて保持される。
上述のように、本実施形態の場合、保持ユニットは筐体１０である。また、保持ユニットを支持する支持具２００が取り付けられる装着部は、筐体１０に形成された開口１５１である。
なお、被視体保持装置１００が未使用の状態では、装着部は、開口１５１の形成予定部であってもよい。すなわち、装着部は、図５（ａ）に示す破断線１５３ａ、１５４ａ及び折り曲げ線１５３ｂ、１５４ｂであってもよい。
なお、ここでは、開口１５１が筐体１０の上部にのみ形成されている例を説明する。
図８及び図９（ａ）に示すように、保持ユニットにおいて開口１５１と対応する部位が支持具２００により挟持されることによって、保持ユニットと被視体（携帯情報端末２０）とが支持具２００によりまとめて保持される。
開口１５１は、例えば、筐体１０の背面部１７から天面部１４に亘って形成される。
支持具２００は、例えば、筐体１０の背面部１７の上端部と底面部１８とを挟持するとともに、携帯情報端末２０の上端面と下端面とを挟持する。例えば、支持具２００は、携帯情報端末２０の上端面は直に挟持し、下端面は、筐体１０の底面部１８を介して挟持する。
なお、ここでは、開口１５１が筐体１０の上部にのみ形成されている例を説明したが、本発明は、この例に限らず、開口１５１が筐体１０の下部にのみ形成されていてもよいし、上部と下部との双方に形成されていてもよい。
【００２２】
図８、図９（ａ）及び図９（ｂ）に示すように、本実施形態の場合、支持具２００は、使用者に把持される棒状などの形状の把持部２１０と、把持部２１０によって基端側が支持されている柄部２２０と、柄部２２０によって支持されている保持アーム部２３０と、を備えて構成されている。
【００２３】
柄部２２０は、単なる棒状の部分であってもよいが、本実施形態の場合、柄部２２０は、伸縮可能に構成されている。
すなわち、柄部２２０は、例えば、図９（ａ）に示すように、第１伸縮部２２１、第２伸縮部２２２及び第３伸縮部２２３を備えて構成されている。そして、把持部２１０、第１伸縮部２２１、第２伸縮部２２２及び第３伸縮部２２３は、それぞれ同軸には位置された筒状に形成されており、第１伸縮部２２１は把持部２１０内に収納可能であり、第２伸縮部２２２は第１伸縮部２２１内に収納可能であり、第３伸縮部２２３は第２伸縮部２２２内に収納可能である（図８、図９（ｂ）参照）。また、図９（ａ）に示すように、第１伸縮部２２１、第２伸縮部２２２及び第３伸縮部２２３は、それぞれ把持部２１０、第１伸縮部２２１及び第２伸縮部２２２から繰り出された状態において、把持部２１０、第１伸縮部２２１及び第２伸縮部２２２との摩擦によって、各々の操り出し状態に維持可能となっている。
このため、柄部２２０の長さを複数段階に調整可能となっている。
【００２４】
更に、柄部２２０は、第３伸縮部２２３の先端側に、第３伸縮部２２３の延長上に位置する棒状の支持部２２４と、支持部２２４の先端部に対してヒンジ部２２６を介して連結された屈曲部２２５と、を備えている。これにより、支持部２２４に対して屈曲部２２５を揺動させることが可能となっている。
【００２５】
図９（ｂ）に示すように、保持アーム部２３０は、屈曲部２２５によって支持されている基部２３１と、連結部２３３を介して基部２３１と連結されている第１挟持部２３２と、を備えている。
基部２３１は、例えば、先端側が二股に分かれており、二股の各々の部分は、互いに平行に延在している。
基部２３１の二股の部分の各々に対して、先端側から、棒状の連結部２３３の一部分が挿入されている。基部２３１の二股の部分の内部には、コイルバネ等の付勢部材２３４が設けられており、該付勢部材２３４によって、基部２３１からの連結部２３３の突出量が縮小する方向に連結部２３３が付勢されている。一例として、連結部２３３の基端にはフランジ状のバネ受部２３３ａが形成されており、基部２３１の二股の部分の先端には内フランジ状のバネ受部２３１ａが形成されている。そして、バネ受部２３１ａとバネ受部２３３ａとの間において、付勢部材２３４が圧縮状態で配置されている。
また、図９（ａ）に示すように、基部２３１の基端部には、第２挟持部２３６が設けられている。
第１挟持部２３２及び第２挟持部２３６の一部分どうしは、支持具２００における他部を介さずに互いに対向している。
そして、図８又は図９（ａ）のいずれかに示すように、第１挟持部２３２と第２挟持部２３６との間で筐体１０と携帯情報端末２０とをまとめて挟持することによって、支持具２００によって筐体１０及び携帯情報端末２０をまとめて保持可能となっている。
【００２６】
図３に示すように、筐体１０内において、レンズ８４は、覗き窓１２と対応する位置に配置されている。また、暗色シート６０の開口６７は、覗き窓１２及びレンズ８４と対応する位置に配置されている。
したがって、携帯情報端末２０の表示画面２１が収容部構成部３６の開口４７を介して覗き窓１２側を向くようにして、被視体保持部１９内に携帯情報端末２０が配置された状態において、覗き窓１２から筐体１０の内部をのぞき込むことにより、レンズ８４を介して表示画面２１を視認可能となる。使用者がレンズ８４を介して筐体１０内の表示画面２１を拡大視することによって、より深い没入感を生じさせることができる。
【００２７】
図１０は、表示画面２１に表示される画像１３１の一例を示したものである。この画像１３１においては、例えば、第１画像１３１ａと第２画像１３１ｂとが左右に並んで配置されており、これら第１画像１３１ａ及び第２画像１３１ｂを左右の眼で同時に視ることにより、使用者には立体的な画像（三次元画像）として認識されるようになっている。このような画像１３１を三次元画像として認識すべく使用者が眼の焦点の調節を行うことによって、使用者の眼球運動が促進される。
【００２８】
次に、被視体保持装置１００の使用例を説明する。
先ず、図８又は図９（ａ）のいずれかに示すように、筐体１０の被視体保持部１９に携帯情報端末２０が収容された状態で、筐体１０及び携帯情報端末２０を支持具２００によって保持した状態とする。
そして、使用者が支持具２００の把持部２１０を手で把持した状態で、筐体１０の覗き窓１２、レンズ８４及び開口６７を介して表示画面２１の画像１３１を視る。
これにより、使用者は、支持具２００、筐体１０及び携帯情報端末２０を楽な姿勢で持ちながら、画像１３１を視ることができる。典型的には、例えば、把持部２１０を把持する方の手の肘を胴体（腹部）の前面に当てたり、机の上に載せたりしながら、把持部２１０を把持することによって、肘や肩などに加わる負荷を低減しつつ、支持具２００、被視体保持装置１００及び被視体としての携帯情報端末２０を安定的に保持することができる。よって、例えば、顔に化粧を施した女性が顔を接眼部１１に近接させながらも、顔を接眼部１１に対して非接触に維持して筐体１０内を覗き込むことなどが容易となるため、顔の化粧料が接眼部１１に付着することを抑制できる。
【００２９】
また、柄部２２０の長さを適宜調節したり、ヒンジ部２２６における支持部２２４と屈曲部２２５との屈曲角度を適宜調節したりすることによって、一層楽な姿勢で画像１３１を視ることが可能となる。なお、図８は柄部２２０を最も短く縮めた状態を示し、図９（ａ）は柄部２２０を最も長く伸ばした状態を示している。
【００３０】
なお、保持アーム部２３０の第１挟持部２３２には、例えば、図８等に示すような摘まみ部２３５が形成されており、支持具２００からの筐体１０及び携帯情報端末２０の取り外しの際に第１挟持部２３２を第２挟持部２３６から引き離す作業などを容易に行うことができるようになっている。
【００３１】
以上のような第１の実施形態によれば、被視体保持装置１００は、使用者に視られる被視体（携帯情報端末２０）を保持する被視体保持部１９と、被視体保持部１９から離間して配置されている接眼部１１と、を有する保持ユニット（筐体１０）を備え、保持ユニットは、当該保持ユニットを支持する支持具２００が取り付けられる装着部（開口１５１）を備えている。
よって、支持具２００によって保持ユニットを支持した状態で、使用者が把持部２１０を持つなどして被視体を視ることで、より楽に被視体を視ることが可能となる。
【００３２】
＜第１の実施形態の変形例＞
図１１は第１の実施形態の変形例に係る被視体保持装置１００を支持具２００によって支持した状態を示す斜視図である。
上記の第１の実施形態では、筐体１０が破断線１５３ａ、１５４ａに沿って破断されることによって筐体１０に開口１５１及び折り曲げ片１５２が形成される例を説明したが、本変形例の場合、筐体１０にスリット１５５が形成されており、筐体１０においてスリット１５５に囲まれた部位が押しつぶされて内側に変形した変形部１５６となるようになっている。
そして、筐体１０において変形部１５６と対応する部位が支持具２００により挟持されることによって、筐体１０と携帯情報端末２０とが支持具２００によりまとめて保持されるようになっている。
【００３３】
すなわち、保持ユニットは筐体１０であり、装着部は、筐体１０に形成されたスリット１５５であり、保持ユニットにおいてスリット１５５と対応する部位が支持具２００により挟持されることによって、保持ユニットと被視体とが支持具２００によりまとめて保持される。
【００３４】
なお、スリット１５５は、例えば、筐体１０の上部において、背面部１７から天面部１４に亘って形成されている。更に、スリット１５５は、筐体１０の下部において、背面部１７から底面部１８に亘って形成されていてもよい。
【００３５】
本変形例の場合も、被視体保持装置１００が未使用の状態では、装着部は、スリット１５５の形成予定部であってもよい。
【００３６】
〔第２の実施形態〕
図１２（ａ）は第２の実施形態に係る被視体保持装置１００を示す側断面図であり、図１２（ｂ）は第２の実施形態に係る被視体保持装置１００を支持する支持具１７０を示す斜視図である。
本実施形態に係る被視体保持装置１００は、以下に説明する点で、上記の第１の実施形態に係る被視体保持装置１００と相違しており、その他の点では、上記の第１の実施形態に係る被視体保持装置１００と同様に構成されている。
【００３７】
本実施形態の場合は、筐体１０は、開口１５１や、開口１５１の形成予定部となる破断線１５３ａ、１５４ａ及び折り曲げ線１５３ｂ、１５４ｂを有していない。
その代わりに、筐体１０の底面部１８上には、被視体保持装置１００を支持具１７０に固定するための固定部材１６０が設けられている。固定部材１６０には、雌ネジ部１６１が形成されている。雌ネジ部１６１は、支持具１７０の雄ネジ部１７２と螺合する部分である。
更に、被視体保持装置１００には、底面部１８と暗色シート６０の底面覆い部６１とに亘って、雄ネジ部１７２が通される挿通孔１６５が形成されている。
【００３８】
本実施形態の場合、支持具１７０は、いわゆる三脚のような構造となっている。すなわち、支持具１７０は、被視体保持装置１００を支持するステージ１７１と、ステージ１７１の上面から上方に向けて突出した状態に設けられている雄ネジ部１７２と、ステージ１７１から下方に向けて三方に延びている３つの脚部１７３と、を備えている。
支持具１７０は、３つの脚部１７３の下端がそれぞれ水平な載置面上に接地することによって、鼎立状態で自立できるようになっている。支持具１７０が自立した状態で、ステージ１７１の上面が水平となり、且つ、雄ネジ部１７２が鉛直上方に突出した状態となるようになっている。
【００３９】
支持具１７０を自立させた状態で、挿通孔１６５を介して雄ネジ部１７２を固定部材１６０の雌ネジ部１６１に対して螺合させることによって、支持具１７０を被視体保持装置１００に対して連結し、支持具１７０によって被視体保持装置１００を支持させることができるようになっている。
【００４０】
よって、本実施形態の場合、使用者は、支持具１７０及び被視体保持装置１００のいずれも持たずに、画像１３１を視ることができる。このため、より楽に被視体を視ることが可能となる。
【００４１】
なお、本実施形態において、固定部材１６０は、支持具１７０が（螺合ではなく）嵌合又は係合により連結されるようになっていてもよい。
【００４２】
このように、本実施形態の場合、保持ユニットは筐体１０であり、装着部は、支持具１７０が螺合、嵌合又は係合により連結される連結部（固定部材１６０、挿通孔１６５により構成される）である。
【００４３】
〔第３の実施形態〕
本実施形態の場合、使用者が、目周りのケア機能を有する目周りケア材を用いて目周りのケアを行いながら、被視体保持装置１００に保持された被視体を視る例を説明する。
図１３（ａ）は目周りケア材としての美容シート９０を示す平面図であり、図１３（ｂ）は美容シート９０を収容しているシートパッケージ１１０を示す側面図である。
図１４（ａ）は第３の実施形態に係る被視体保持装置１００の正面図であり、図１４（ｂ）は被視体保持装置１００が美容シート９０を保持している状態を示す正面図である。
本実施形態に係る被視体保持装置１００は、以下に説明する点で、上記の第１又は第２の実施形態又はその変形例に係る被視体保持装置１００と相違しており、その他の点では、上記の第１又は第２の実施形態又はその変形例に係る被視体保持装置１００と同様に構成されている。
【００４４】
図１３（ａ）に示すように、一例として、美容シート９０は、基材９１と、基材９１内に収容されている発熱体９２と、を有している。
この場合、発熱体９２は、例えば、被酸化性金属の粒子、電解質及び水を含む発熱組成物の層と、この層を挟持する表裏の吸水性基材シートと、を含んで構成されている。基材９１は、例えば、発熱体９２の表裏にそれぞれ位置する一対の被覆シートにより構成されており、一部分又は全体が通気性を有している。
なお、一対の被覆シートのうち、使用者の顔側となる一方の被覆シートの通気性は、顔側とは反対側となる他方の被覆シートの通気性よりも高くなっていることが好ましい。
美容シート９０は、保管時には軟質包装材により構成された包装袋１１１（図１３（ｂ））に封入されてシートパッケージ１１０の形態をなしている。使用時に包装袋１１１から美容シート９０が取り出されることによって、発熱体９２が発熱するとともに蒸気を発生し、この蒸気が通気性を有する基材９１から外部に放出されるようになっている。また、発熱体９２または基材９１は、皮膚浸透性の機能剤を含んで構成されていても良く、この場合には、美容シート９０から蒸気とともに機能剤を放散させることができる。
【００４５】
より詳細には、美容シート９０は、使用者の目と対応する一対のシート開口９３を有している。また、各シート開口９３の周囲にそれぞれ発熱体９２が配置されている。また、例えば、２つの発熱体９２どうしの間において、基材９１の上部及び下部にはそれぞれスリット９４、９５が形成されており、使用者の顔の形状に沿って美容シート９０が変形しやすくなっている。このうち、スリット９５は、使用者の鼻と対応している。
【００４６】
ただし、本発明において、美容シート９０は、蒸気を放出しない発熱性のもの（温熱シート）であってもよいし、非発熱性（かつ蒸気を発生しないもの）であってもよい。このような美容シート９０としては、例えば、炭酸シートや不織布等により構成された基材シートが美容液、化粧水又は乳液等を含浸することにより構成された美容パックであることが挙げられる。
【００４７】
図１４（ａ）に示すように、筐体１０の前面側には、美容シート９０を保持するスリット１２１、１２２が形成されている。
すなわち、例えば、接眼部１１の上部中央には、直線状に左右に延在するスリット１２１が形成されており、側方覆い部１５ｂには、直線状に上下に延在するスリット１２２が形成されている。なお、スリット１２１、１２２は、接眼部１１の表裏を貫通している。
図１４（ｂ）に示すように、接眼部１１に沿って配置した美容シート９０の基材９１の一部分を、スリット１２１、１２２を介して押し込むことによって、接眼部１１及び側方覆い部１５ｂによって美容シート９０を保持させることができるようになっている。こうして、美容シート９０は、接眼部１１に沿う状態となってスリット１２１、１２２により保持される。
このように、保持ユニット（筐体１０）は、シート体により構成された目周りケア材（美容シート９０）を保持するシート体保持部（スリット１２１、１２２）を備えている。
また、シート体保持部は、保持ユニット（筐体１０）に形成されたスリット１２１、１２２である。そして、スリット１２１、１２２にシート体（美容シート９０）の一部分が押し込まれることによって、シート体が保持ユニットに保持される。
このため、美容シート９０を手で押さえて支持することなく、美容シート９０を目周りに近接させて配置することができる。
【００４８】
なお、筐体１０には、美容シート９０を正しい向きで筐体１０に取り付けることを支援するための標示が付されていることが好ましい。すなわち、「美容シート９０において顔側となる面とは反対側の面が接眼部１１側を向くようにして、美容シート９０を筐体１０に取り付けて下さい」といった主旨の標示が筐体１０に（例えば接眼部１１に）付されている。
【００４９】
本実施形態の場合、使用者は、図１４（ｂ）に示すように筐体１０の接眼部１１に沿って美容シート９０を装着した状態で、美容シート９０のシート開口９３、筐体１０の覗き窓１２、レンズ８４及び開口６７を介して表示画面２１の画像１３１を視ることができる。
これにより、美容シート９０の発熱体９２が発熱することで使用者の目周りを温めて血行促進を図ることができるとともに、浸透性の機能剤を目周りに作用させることができ、且つ、それと並行して眼球運動を行わせることができる。
よって、目周りの近傍に美容シート９０を配置することによる美容効果と、被視体を見せて眼球運動を促進することによる美容効果と、が相乗的に得られるようにできるとともに、眼筋の強化によって美容効果が長期に亘り持続することが期待できる。
【００５０】
本発明は上述の実施形態及び各変形例に限定されるものではなく、本発明の目的が達成される限りにおける種々の変形、改良等の態様も含む。
【００５１】
例えば、上記においては、支持具２００により被視体保持装置１００を保持する場合に、筐体１０に開口１５１又はスリット１５５が形成されている例を説明したが、筐体１０の上下寸法と携帯情報端末２０の上下寸法との差が小さければ、開口１５１やスリット１５５が無くても、支持具２００によって筐体１０の外側から携帯情報端末２０を挟持し保持することが可能である。
【００５２】
また、被視体保持部１９に保持された状態での携帯情報端末２０の高さ寸法（上下寸法）に応じて、背面部１７において支持具２００により挟持される部分の高さ寸法（上下寸法）を調節可能なように、背面部１７には破断線１５３ａ（図５（ａ））の延長上に位置するミシン目等の破断線（不図示）が形成されていてもよい。この場合、この破断線を破断する長さを調節することによって、背面部１７において支持具２００により挟持される部分の高さ寸法を調節することができる。
また、背面部１７において開口１５１又はスリット１５５の下方又は上方に近接する部位には、それぞれ水平に延在する折り曲げ可能な複数本の折り曲げ線（罫線）が形成されていてもよい。この場合、背面部１７をいずれの折り曲げ線に沿って折り曲げるかを選択することによって、背面部１７において支持具２００により挟持される部分の高さ寸法を調節することができる。
【００５３】
また、支持具２００又は支持具１７０は、被視体保持装置１００と一体に形成されていてもよい。このようにすれば、支持具２００によって被視体保持装置１００を挟持させるといった作業や、支持具１７０に対して被視体保持装置１００を取り付けるといった作業が不要となる。
【００５４】
また、上記の各実施形態は、本発明の主旨を逸脱しない範囲で、適宜に組み合わせることができる。
【００５５】
上記実施形態は、以下の技術思想を包含する。
＜１＞使用者に視られる被視体を保持する被視体保持部と、前記被視体保持部から離間して配置されている接眼部と、を有する保持ユニットを備え、
前記保持ユニットは、当該保持ユニットを支持する支持具が取り付けられる装着部を備えている被視体保持装置。
＜２＞前記保持ユニットにおいて前記装着部と対応する部位が前記支持具により挟持されることによって、前記保持ユニットと前記被視体とが前記支持具によりまとめて保持される＜１＞に記載の被視体保持装置。
＜３＞前記保持ユニットは筐体であり、
前記装着部は、前記筐体に形成された開口、スリット、前記開口の形成予定部、又は前記スリットの形成予定部である＜２＞に記載の被視体保持装置。
＜４＞前記保持ユニットは筐体であり、
前記装着部は、前記支持具が螺合、嵌合又は係合により連結される連結部である＜１＞に記載の被視体保持装置。
＜５＞前記保持ユニットは、シート体により構成された目周りケア材を保持するシート体保持部を備えている請求項１から４のいずれか一項に記載の被視体保持装置。
＜６＞前記被視体は、画像表示体である＜１＞から＜５＞のいずれか一項に記載の被視体保持装置。
【符号の説明】
【００５６】
１０  筐体
１０ａ  空洞
１１  接眼部
１２  覗き窓
１３  鼻よけ部
１４  天面部
１５  覆い部
１５ａ  上方覆い部
１５ｂ  側方覆い部
１６  側面部
１７  背面部
１８  底面部
１９  被視体収容部
２０  携帯情報端末（被視体、画像表示体）
２１  表示画面
３０  筐体構成シート
３１  第１天面構成部
３２  背面構成部
３３  第１底面構成部
３４  前面構成部
３５  第２天面構成部
３６  収容部構成部
３７  第２底面構成部
３８  側面構成部
３９  差し込み片
４０、４１、４２  折り曲げ片
４３  開口
４４、４５  切欠形状部
４６  スリット
４７  開口
４８  切欠形状部
５０  原反シート
５１、５２、５３、５４、５５  切除部
６０  暗色シート
６１  底面覆い部
６２  前面覆い部
６３  側面覆い部
６４  天面覆い部
６５、６６  切欠形状部
６７  開口
７０  原反シート
７１、７２、７３、７４  切除部
８０  レンズ保持部材
８１  本体部
８２  保持孔
８３  切欠形状部
８４  レンズ
９０  美容シート（シート体）
９１  基材
９２  発熱体
９３  シート開口
９４、９５  スリット
１００  被視体保持装置
１１０  シートパッケージ
１１１  包装袋
１２１、１２２  スリット
１３１  画像
１３１ａ  第１画像
１３１ｂ  第２画像
１４０  筐体
１４１  切除部
１４２  ロック底
１５１  開口
１５２  折り曲げ片
１５３ａ、１５４ａ、１５７ａ  破断線
１５３ｂ、１５４ｂ、１５７ｂ  折り曲げ線
１５５  スリット
１５６  変形部
１６０  固定部材
１６１  雌ネジ部
１６５  挿通孔
１７０  支持具
１７１  ステージ
１７２  雄ネジ部
１７３  脚部
２００  支持具
２１０  把持部
２２０  柄部
２２１  第１伸縮部
２２２  第２伸縮部
２２３  第３伸縮部
２２４  支持部
２２５  屈曲部
２２６  ヒンジ部
２３０  保持アーム部
２３１  基部
２３１ａ、２３３ａ  バネ受部
２３２  第１挟持部
２３３  連結部
２３４  付勢部材
２３５  摘まみ部
２３６  第２挟持部
【図１】
2018033051.tif 000003
【図２】
2018033051.tif 000004
【図３】
2018033051.tif 000005
【図４】
2018033051.tif 000006
【図５】
2018033051.tif 000007
【図６】
2018033051.tif 000008
【図７】
2018033051.tif 000009
【図８】
2018033051.tif 000010
【図９】
2018033051.tif 000011
【図１０】
2018033051.tif 000012
【図１１】
2018033051.tif 000013
【図１２】
2018033051.tif 000014
【図１３】
2018033051.tif 000015
【図１４】
2018033051.tif 000016